(57)【要約】【課題】接続機器に接続された多数の光ケーブルの中から誤った光ケーブルが抜去されることを防止することができる光ケーブル誤抜去防止具を提供することである。【解決手段】光ケーブル１０のコネクタ１１に装着して使用される光ケーブル誤抜去防止具１を、コネクタ１１の摘み部１１ａに嵌合可能な嵌合溝５を備えた固定部２と、一端において固定部２に連なるとともに嵌合溝５の軸方向に沿って延びる延長部３と、延長部３の他端に連ねて設けられる把持部４と、を有する構成とする。【選択図】図２
0003195690.tif 000002
【実用新案登録請求の範囲】
【請求項１】
光ケーブルのコネクタに装着して使用される光ケーブル誤抜去防止具であって、
前記コネクタの摘み部に嵌合可能な嵌合溝を備えた固定部と、
一端において前記固定部に連なるとともに前記嵌合溝の軸方向に沿って延びる延長部と、
前記延長部の他端に連ねて設けられる把持部と、を有することを特徴とする光ケーブル誤抜去防止具。
【請求項２】
前記コネクタがＳＣ形である、請求項１に記載の光ケーブル誤抜去防止具。
【請求項３】
前記把持部が、前記嵌合溝の軸方向に沿って延びるとともに該嵌合溝と同一方向に向けて開口する半筒状に形成されている、請求項１または２に記載の光ケーブル誤抜去防止具。
【請求項４】
前記固定部、前記延長部および前記把持部が、樹脂材料により一体に形成されている、請求項１〜３の何れか１項に記載の光ケーブル誤抜去防止具。
【請求項５】
前記固定部が、前記コネクタが接続されるアダプタの外形よりも小さい外形に形成されている、請求項１〜４の何れか１項に記載の光ケーブル誤抜去防止具。
【請求項６】
札状の示名条片を取り付け可能な取付け孔を有する、請求項１〜５の何れか１項に記載の光ケーブル誤抜去防止具。
【請求項７】
示名条片を貼り付け可能な貼付け面を有する、請求項１〜６の何れか１項に記載の光ケーブル誤抜去防止具。
【考案の詳細な説明】
【技術分野】
【０００１】
本考案は、光ケーブルのコネクタに装着して使用される光ケーブル誤抜去防止具に関する。
【背景技術】
【０００２】
従来から、大容量のデータを伝送するための通信ケーブルとして光ケーブルが用いられている。
【０００３】
このような光ケーブルは、光ファイバーで形成された心線を保護材で被覆してなるケーブル本体と、ケーブル本体の少なくとも一方の先端に設けられるコネクタとを有し、コネクタがアダプタに差し込まれることにより通信機器等の接続機器に接続されるようになっている。
【０００４】
例えば、光ケーブルを接続機器に接続するためのコネクタおよびアダプタとしては、従来からＳＣ形のものが知られている（例えば特許文献１参照）。
【先行技術文献】
【特許文献】
【０００５】
【特許文献１】特開２０１４−１９１２７９号公報
【考案の概要】
【考案が解決しようとする課題】
【０００６】
オフィスビルや集合住宅等に光ケーブルを導入する際には、大量の通信回線を必要とするため、当該光ケーブルを中継、分岐する分岐配線盤（ＰＤ盤）が設けられるのが一般的である。
【０００７】
しかしながら、分岐配線盤は多数の光ケーブルが密集して接続される構成であるので、例えば、分岐配線盤を用いた伝送路確認試験において、現用の光ケーブルに隣接したアダプタに対して試験用の光ケーブルを抜き差しする場合には、誤って現用の光ケーブルを接続機器から抜去してしまう虞があるという問題点があった。
【０００８】
本考案は、従来技術が抱えるこのような問題を解決することを課題とするものであり、その目的とするところは、接続機器に接続された多数の光ケーブルの中から誤った光ケーブルが抜去されることを防止することができる光ケーブル誤抜去防止具を提供することにある。
【課題を解決するための手段】
【０００９】
本考案の光ケーブル誤抜去防止具は、光ケーブルのコネクタに装着して使用される光ケーブル誤抜去防止具であって、前記コネクタの摘み部に嵌合可能な嵌合溝を備えた固定部と、一端において前記固定部に連なるとともに前記嵌合溝の軸方向に沿って延びる延長部と、前記延長部の他端に連ねて設けられる把持部と、を有することを特徴とする。
【００１０】
本考案の光ケーブル誤抜去防止具は、前記コネクタがＳＣ形であるのが好ましい。
【００１１】
本考案の光ケーブル誤抜去防止具は、前記把持部が、前記嵌合溝の軸方向に沿って延びるとともに該嵌合溝と同一方向に向けて開口する半筒状に形成されているのが好ましい。
【００１２】
本考案の光ケーブル誤抜去防止具は、前記固定部、前記延長部および前記把持部が、樹脂材料により一体に形成されているのが好ましい。
【００１３】
本考案の光ケーブル誤抜去防止具は、前記固定部が、前記コネクタが接続されるアダプタの外形よりも小さい外形に形成されているのが好ましい。
【００１４】
本考案の光ケーブル誤抜去防止具は、札状の示名条片を取り付け可能な取付け孔を有するのが好ましい。
【００１５】
本考案の光ケーブル誤抜去防止具は、示名条片を貼り付け可能な貼付け面を有するのが好ましい。
【考案の効果】
【００１６】
本考案によれば、コネクタに光ケーブル誤抜去防止具を装着することにより、接続機器に多数の光ケーブルが密集して接続されている場合であっても、これら多数の光ケーブルの中から抜去すべき光ケーブルを作業者に容易に認識させることができるので、接続機器に接続された多数の光ケーブルの中から誤った光ケーブルが抜去されることを防止することができる。
【図面の簡単な説明】
【００１７】
【図１】本考案の一実施の形態である光ケーブル誤抜去防止具の（ａ）は平面図、（ｂ）は側面図、（ｃ）は底面図、（ｄ）は正面図、（ｅ）は背面図である。
【図２】図１に示す光ケーブル誤抜去防止具の、光ケーブルのコネクタに装着された状態における（ａ）は底面図、（ｂ）は側面図である。
【図３】図１に示す光ケーブル誤抜去防止具が装着された光ケーブルのコネクタを接続機器のアダプタに接続する様子を示す説明図である。
【図４】図１に示す光ケーブル誤抜去防止具が装着された光ケーブルのコネクタの、アダプタに接続された状態の（ａ）は側面図、（ｂ）は平面図である。
【図５】図１に示す光ケーブル誤抜去防止具が装着された光ケーブルのコネクタの、縦型２連アダプタに接続された状態の側面図である。
【図６】図１に示す光ケーブル誤抜去防止具が装着された光ケーブルのコネクタの、横型２連アダプタに接続された状態の平面図である。
【図７】図１に示す光ケーブル誤抜去防止具が装着された光ケーブルのコネクタを、分岐配線盤に接続した状態を示す説明図である。
【図８】図１に示す光ケーブル誤抜去防止具の変形例であって、延長部に設けた貼付け面に示名条片を貼り付けた場合の平面図である。
【図９】図１に示す光ケーブル誤抜去防止具の変形例であって、把持部に設けた取付け孔に札状の示名条片を取り付けた場合の平面図である。
【図１０】図１に示す光ケーブル誤抜去防止具の変形例であって、把持部を半円筒状に形成した場合の（ａ）は平面図、（ｂ）は側面図、（ｃ）は底面図、（ｄ）は正面図、（ｅ）は背面図である。
【考案を実施するための形態】
【００１８】
以下、本考案の実施の形態を図面に基づいて詳細に例示説明する。
【００１９】
本考案の一実施の形態である光ケーブル誤抜去防止具１は、光ケーブルのコネクタに装着して使用されるものである。本実施の形態においては、光ケーブル誤抜去防止具１を、ＳＣ形のコネクタを有する光ケーブルつまりＳＣ光ケーブルに適応した形状に形成した場合を示す。
【００２０】
図１に示すように、光ケーブル誤抜去防止具１は、固定部２、延長部３および把持部４を有している。本実施の形態では、光ケーブル誤抜去防止具１は樹脂製となっており、固定部２、延長部３および把持部４が樹脂材料により一体に形成された構成となっている。光ケーブル誤抜去防止具１は全体として長尺の外形を有し、その長手方向の一端に固定部２が設けられ、長手方向の他端に把持部４が設けられるとともに、固定部２と把持部４との間に延長部３が一体に連ねて設けられている。光ケーブル誤抜去防止具１の長手方向の寸法つまり長さ寸法は、７０ｍｍとするのが好ましい。
【００２１】
固定部２は略直方体形状の外形を有し、その内側には嵌合溝５が設けられている。嵌合溝５は、その軸方向を光ケーブル誤抜去防止具１の長手方向に沿う方向に向けて、つまり光ケーブル誤抜去防止具１の長手方向に沿って延びて設けられ、固定部２を長手方向に貫通するとともに、図１（ｃ）に示すように、固定部２の底面２ａの側に向けて開口している。図２に示すように、嵌合溝５は、この光ケーブル誤抜去防止具１が適応するＳＣ光ケーブル１０のコネクタ１１の摘み部１１ａに対応した形状に形成されて、コネクタ１１の摘み部１１ａに嵌合可能となっている。したがって、嵌合溝５をコネクタ１１の摘み部１１ａに嵌合させることにより、固定部２つまり光ケーブル誤抜去防止具１をコネクタ１１に装着することができる。
【００２２】
延長部３は長尺の板状に形成され、その一端において固定部２に連なって嵌合溝５の軸方向に沿って延びている。図示する場合では、延長部３は、固定部２の嵌合溝５が開口しない側つまり天面２ｂの側に連結されており、その内側面には嵌合溝５に沿って延びる湾曲断面の凹溝３ａが設けられている。
【００２３】
把持部４は、延長部３の他端に連ねて設けられている。作業者は、固定部２の嵌合溝５をコネクタ１１の摘み部１１ａに嵌合させて光ケーブル誤抜去防止具１をコネクタ１１に装着したときに、この把持部４を把持して光ケーブル誤抜去防止具１とともにコネクタ１１のアダプタに対する抜き差し作業を行うことができる。
【００２４】
本実施の形態においては、把持部４は、嵌合溝５の軸方向つまり光ケーブル誤抜去防止具１の長手方向に沿って延びるとともに嵌合溝５と同一方向（底面２ａの側）に向けて開口するコの字断面を有する半筒状に形成されている。また、把持部４の外面には、断面三角形状で長手方向に直交する方向に向けて延びる多数のリブ４ａが滑り止めとして設けられている。
【００２５】
図２に示すように、ＳＣ光ケーブル１０は、光ファイバーで形成された心線を保護材で被覆してなるケーブル本体１２を備え、このケーブル本体１２の先端にコネクタ１１が設けられた構成となっている。また、コネクタ１１はアダプタに差し込まれる差込み部１１ｂを有し、この差込み部１１ｂと一体に摘み部１１ａが設けられている。また、ケーブル本体１２は、コネクタ１１との接続部分がコネクタ１１に対して過度に曲げられることを防止するためのコードブッシング１２ａを備えている。
【００２６】
図２に示すように、コネクタ１１の摘み部１１ａを光ケーブル誤抜去防止具１の嵌合溝５に嵌合させることにより、固定部２をコネクタ１１に固定して、光ケーブル誤抜去防止具１をコネクタ１１に装着することができる。コネクタ１１の摘み部１１ａは側方に向けて突出する張出し部を有する形状となっているので、摘み部１１ａにおいて嵌合溝５に嵌合したコネクタ１１は固定部２に対して長手方向に固定された状態とされる。また、コネクタ１１の摘み部１１ａは、その外形を僅かに弾性変形させて嵌合溝５に嵌合すること等により、嵌合溝５から容易に脱落しない構成とされる。
【００２７】
摘み部１１ａを嵌合溝５に嵌合させて光ケーブル誤抜去防止具１をコネクタ１１に装着した状態では、コネクタ１１の差込み部１１ｂが固定部２の先端から長手方向に突出する。したがって、図３に示すように、光ケーブル誤抜去防止具１の把持部４を把持して、コネクタ１１の差込み部１１ｂを例えば分岐配線盤（ＰＤ盤）等の接続機器２０に設けられたアダプタ２１に差し込むことで、ＳＣ光ケーブル１０を接続機器２０に接続することができる。また、光ケーブル誤抜去防止具１の把持部４を把持し、光ケーブル誤抜去防止具１とともにコネクタ１１をアダプタ２１から引き抜くことで、ＳＣ光ケーブル１０を接続機器２０から抜去することができる。
【００２８】
なお、摘み部１１ａを嵌合溝５に嵌合させて光ケーブル誤抜去防止具１をコネクタ１１に装着した状態では、ケーブル本体１２を延長部３の凹溝３ａに沿うとともに把持部４の内側を通る姿勢で配置することができる。
【００２９】
ここで、光ケーブル誤抜去防止具１をコネクタ１１に装着した状態では、図２（ａ）に示すように、コネクタ１１の差込み部１１ｂの両側面は、それぞれ光ケーブル誤抜去防止具１の固定部２の両側面２ｃの内側に配置され、また、図２（ｂ）に示すように、コネクタ１１の差込み部１１ｂの上下両面は、それぞれ光ケーブル誤抜去防止具１の固定部２の底面２ａおよび天面２ｂの内側に配置される。
【００３０】
また、光ケーブル誤抜去防止具１の固定部２は、コネクタ１１が接続されるアダプタ２１の外形よりも小さい外形に形成されている。つまり、光ケーブル誤抜去防止具１が装着されたコネクタ１１をアダプタ２１に接続した状態では、図４（ａ）に示すように、光ケーブル誤抜去防止具１の固定部２の底面２ａおよび天面２ｂは、それぞれアダプタ２１の上下両面の内側に配置され、また、図４（ｂ）に示すように、光ケーブル誤抜去防止具１の固定部２の両側面２ｃは、それぞれアダプタ２１の両側面の内側に配置される。
【００３１】
なお、図５に示すように、接続機器２０のアダプタ２１が、縦方向（上下方向）に並べて２つのコネクタ１１を接続可能な縦型２連アダプタに構成されている場合においても、光ケーブル誤抜去防止具１を隣接する他のＳＣ光ケーブル１０のコネクタ１１に干渉させることなく、当該光ケーブル誤抜去防止具１が装着されたコネクタ１１をアダプタ２１に接続することができる。また、図６に示すように、接続機器２０のアダプタ２１が、横方向（幅方向）に並べて２つのコネクタ１１を接続可能な横型２連アダプタに構成されている場合においても、光ケーブル誤抜去防止具１を隣接する他のＳＣケーブル１０のコネクタ１１に干渉させることなく、当該光ケーブル誤抜去防止具１が装着されたコネクタ１１をアダプタ２１に接続することができる。
【００３２】
図７に示すように、光ケーブル誤抜去防止具１が装着されたコネクタ１１を、多数のＳＣ光ケーブル１０が密集して接続された接続機器としての分岐配線盤（ＰＤ盤）２２に接続した場合には、光ケーブル誤抜去防止具１の把持部４は、他のＳＣ光ケーブル１０のコネクタ１１の摘み部１１ａに対して大きくずれた位置に配置されることになる。例えば、光ケーブル誤抜去防止具１の長さ寸法を７０ｍｍとした場合には、光ケーブル誤抜去防止具１の把持部４は、他のＳＣ光ケーブル１０のコネクタ１１の摘み部１１ａに対して、その長手方向に６０ｍｍずれた位置に配置される。しかも、把持部４の形状は、他のＳＣ光ケーブル１０のコネクタ１１の摘み部１１ａの形状とは大きく異なるものである。
【００３３】
したがって、例えば、分岐配線盤２２における伝送路確認試験において、分岐配線盤２２の所定のアダプタに対して試験用のＳＣ光ケーブル１０を抜き差しする場合、作業者は、伝送試験用のＳＣ光ケーブル１０に光ケーブル誤抜去防止具１を装着することにより、分岐配線盤２２に接続された多数のＳＣ光ケーブル１０の中から、伝送路試験用のＳＣ光ケーブル１０を容易に見分けることができる。このように、本発明の光ケーブル誤抜去防止具１をコネクタ１１に装着することにより、分岐配線盤２２に接続された多数のＳＣ光ケーブル１０の中から抜去すべきＳＣ光ケーブル１０を作業者に容易に認識させて、分岐配線盤２２に接続された多数のＳＣ光ケーブル１０の中から誤ったＳＣ光ケーブル１０が抜去されることを防止することができる。
【００３４】
また、光ケーブル誤抜去防止具１はＳＣ光ケーブル１０のコネクタ１１に容易に着脱することができ、しかも、光ケーブル誤抜去防止具１を既存のＳＣ光ケーブル１０のコネクタ１１に装着することで上記効果を得られることから、多数のＳＣ光ケーブル１０の中から誤ったＳＣ光ケーブル１０が抜去されること防止するための措置を低コストで実現することができる。
【００３５】
さらに、分岐配線盤２２のアダプタにコネクタ１１が接続された状態において、光ケーブル誤抜去防止具１の把持部３は、他のＳＣ光ケーブル１０のコネクタ１１の摘み部１１ａに対して大きく後方にずれて配置されているので、他のＳＣ光ケーブル１０のコネクタ１１に干渉することなく把持部４を容易に把持することができる。特に、光ケーブル誤抜去防止具１の長さ寸法を７０ｍｍとした場合には、把持部４が隣接するＳＣ光ケーブル１０のコネクタ１１の摘み部１１ａに対して６０ｍｍ後ろにずれるので、把持部４がケーブル本体１２のコードブッシング１２ａにも干渉することなく、作業者は容易に把持部４を把持することができる。したがって、光ケーブル誤抜去防止具１の把持部４を把持して行うコネクタ１１の抜き差し作業が容易となる。
【００３６】
さらに、光ケーブル誤抜去防止具１の固定部２は、コネクタ１１が接続されるアダプタ２１の外形よりも小さい外形に形成されているので、光ケーブル誤抜去防止具１を隣接する他のＳＣ光ケーブル１０のコネクタ１１に干渉させることなく、光ケーブル誤抜去防止具１が装着されたコネクタ１１を抜き差しすることができる。したがって、光ケーブル誤抜去防止具１が装着された伝送試験用のＳＣ光ケーブル１０を分岐配線盤２２から抜去する際に、当該ＳＣ光ケーブル１０とともに、隣接する現用のＳＣ光ケーブル１０が誤って分岐配線盤２２から抜去されることを確実に防止することができる。
【００３７】
さらに、分岐配線盤２２に、これに接続された多数の現用のＳＣ光ケーブル１０のケーブル本体１２をほう縛するためのケーブルラック等の金具が設けられている場合であっても、光ケーブル誤抜去防止具１の長さ寸法を７０ｍｍとすることにより、当該光ケーブル誤抜去防止具１が装着されたＳＣ光ケーブル１０のコネクタ１１を分岐配線盤２２から抜去する際に、光ケーブル誤抜去防止具１の把持部４がケーブルラック等の金具に当たることを防止して、当該ＳＣ光ケーブル１０の引き抜きが可能となる。
【００３８】
さらに、本実施の形態に示すように、把持部４を、嵌合溝５の軸方向に沿って延びるとともに嵌合溝５と同一方向に向けて開口するコの字断面を有する半筒状に形成した場合では、光ケーブル誤抜去防止具１をコネクタ１１に装着した状態において、ＳＣ光ケーブル１０のケーブル本体１２を把持部４の内側に収容することができる。したがって、把持部４とともにケーブル本体１２が把持されることを防止して、この光ケーブル誤抜去防止具１を用いたコネクタ１１の抜き差し作業を容易にすることができる。
【００３９】
また、本実施の形態に示すように、把持部４の外面に、滑り止め用の多数のリブ４ａを設けることにより、把持部４を把持する指の滑りを防止して、この光ケーブル誤抜去防止具１を用いたコネクタ１１の抜き差し作業をさらに容易にすることができる。
【００４０】
光ケーブル誤抜去防止具１は、示名条片を貼り付け可能な貼付け面を備えた構成とすることもできる。図８には、固定部２の天面２ｂと同一面状となる延長部３の外面に設けた貼付け面３０に示名条片３１を貼り付けた場合を示す。この場合、貼付け面３０には幅９．０ｍｍ、長さ４０ｍｍの示名条片３１を貼り付け可能であるが、図示する場合では、幅９．０ｍｍ、長さ３５ｍｍの示名条片３１を貼り付けている。
【００４１】
このように、光ケーブル誤抜去防止具１に貼付け面３０を設け、この貼付け面３０に注意喚起や行先表示を記した示名条片３１を貼り付けることで、この光ケーブル誤抜去防止具１が装着されたＳＣ光ケーブル１０に関する注意喚起や行先表示を行うことができる。特に、この光ケーブル誤抜去防止具１が装着されたＳＣ光ケーブル１０のコネクタ１１を光ケーブル配分架に接続する場合では、このような貼付け面３０を設けて示名条片３１を光ケーブル誤抜去防止具１に直接貼り付ける構成とするのが好ましい。
【００４２】
なお、貼付け面３０は、延長部３の外面に限らず、例えば延長部３の側面や固定部２の天面２ｂなど、種々の位置に設けることもできる。また、貼付け面３０に貼り付ける示名条片３１の寸法や、当該示名条片３１に記載する内容は種々変更可能である。
【００４３】
また、光ケーブル誤抜去防止具１は、札状の示名条片を取り付け可能な取付け孔を備えた構成とすることもできる。図９には、把持部４に設けられた長孔形状の取付け孔３２に、札状の示名条片３３を取り付けた場合を示す。この場合、札状の示名条片３３は、これに設けられた帯状や紐状等の巻付け部３３ａを取付け孔３２に挿通して把持部４に結び付けることで光ケーブル誤抜去防止具１に取り付けることができる。そして、札状の示名条片３３に注意喚起や行先表示を記すことで、この光ケーブル誤抜去防止具１が装着されたＳＣ光ケーブル１０に関する当該注意喚起や行先表示を行うことができる。また、札状の示名条片３３は、光ケーブル誤抜去防止具１に対して側方に延びる姿勢で取り付けられるので、隣接するＳＣ光ケーブル１０のケーブル本体１２に対して札状の示名条片３３は直交した姿勢となり、多数のＳＣ光ケーブル１０の中からでも、その確認が容易となる。
【００４４】
図９に示す場合においても、札状の示名条片３３の寸法や、当該札状の示名条片３３に記載する内容は種々変更可能である。
【００４５】
図１０は、図１に示す光ケーブル誤抜去防止具の変形例であって、把持部を半円筒状に形成した場合を示す（ａ）は平面図、（ｂ）は側面図、（ｃ）は底面図、（ｄ）は正面図、（ｅ）は背面図である。なお、図１０においては、前述した部材ないし部位に対応する部材には同一の符号を付し、再度の説明は省略する。
【００４６】
図１に示す場合では、把持部４は、嵌合溝５の軸方向に沿って延びるとともに嵌合溝５と同一方向に向けて開口するコの字断面を有する半筒状に形成されているが、図１０に示す変形例のように、把持部４を、嵌合溝５の軸方向に沿って延びるとともに嵌合溝５と同一方向に向けて開口する半円筒状に形成することもできる。このように、把持部４を半円筒状に形成した場合においても、ＳＣ光ケーブル１０のケーブル本体１２を把持部４の内側に収容して、この光ケーブル誤抜去防止具１を用いたコネクタ１１の抜き差し作業を容易にすることができる。
【００４７】
本考案は前記実施の形態に限定されるものではなく、その要旨を逸脱しない範囲で種々変更可能であることはいうまでもない。
【００４８】
例えば前記実施の形態においては、本発明の光ケーブル誤抜去防止具１を、ＳＣ形のコネクタ１１を有するＳＣ光ケーブル１０に適応させた場合を示しているが、これに限らず、本発明の光ケーブル誤抜去防止具１を、他の形式のコネクタを有する光ケーブルに対応したものとすることもできる。
【００４９】
また、前記実施の形態においては、延長部３は板状に形成されているが、これに限らず、例えば把持部４と同様の断面形状を有する半筒状とするなど、その形状は種々変更可能である。
【００５０】
一方で、前記実施の形態において、把持部４は半筒状に形成されているが、これに限らず、例えば板状に形成するなど、作業者が把持することができる形状であれば、その形状は種々変更可能である。
【００５１】
さらに、光ケーブル誤抜去防止具１の長さ寸法は７０ｍｍに限らず、当該光ケーブル誤抜去防止具１が装着されるＳＣ光ケーブル１０が抜き差しされる接続機器の配置環境等に応じて、種々変更可能である。
【００５２】
光ケーブル誤抜去防止具１は、例えば、白、赤、黄、青、緑の５色など、その色が相違する複数種類の色違いのものを用意することができる。色違いの光ケーブル誤抜去防止具１を、現場の環境等に応じて使い分けることで、光ケーブル誤抜去防止具１が装着されたＳＣ光ケーブルの他のＳＣ光ケーブル１０との識別性をさらに高めることができる。
【符号の説明】
【００５３】
１    光ケーブル誤抜去防止具
２    固定部
２ａ  底面
２ｂ  天面
２ｃ  側面
３    延長部
３ａ  凹溝
４    把持部
４ａ  リブ
５    嵌合溝
１０    ＳＣ光ケーブル
１１    コネクタ
１１ａ  摘み部
１１ｂ  差込み部
１２    ケーブル本体
１２ａ  コードブッシング
２０    接続機器
２１    アダプタ
２２    分岐配線盤（接続機器）
３０    貼付け面
３１    示名条片
３２    取付け孔
３３    札状の示名条片
３３ａ  巻付け部
【図１】
0003195690.tif 000003
【図２】
0003195690.tif 000004
【図３】
0003195690.tif 000005
【図４】
0003195690.tif 000006
【図５】
0003195690.tif 000007
【図６】
0003195690.tif 000008
【図７】
0003195690.tif 000009
【図８】
0003195690.tif 000010
【図９】
0003195690.tif 000011
【図１０】
0003195690.tif 000012